(57)【要約】【課題】オプションサービス選択情報と商品選択情報とを関連付けて購入履歴として記憶することにより、利用者が個々の商品に対してどのようなオプションサービスを付加しているかを認識し、新たなサービスの提供を可能にする自動販売機を提供すること。【解決手段】商品を選択するための商品選択ボタン２７と、予め決められたオプションサービス毎に設けられ、かつオプションサービスを選択するファンクションボタン３０とを備え、いずれかのファンクションボタン３０が押下されてオプションサービスが選択された場合に、選択されたオプションサービスに関するオプションサービス選択情報と、ファンクションボタン３０の押下後にいずれかの商品選択ボタン２７が押下されることにより、選択されたオプションサービスが適用された商品に関する商品選択情報とを関連付けて購入履歴としてメモリ５１に記憶させる制御手段５０を備えたものである。【選択図】図５
2011253457.tif 000002
【特許請求の範囲】
【請求項１】
商品毎に設けられ、かつ商品を選択するための商品選択ボタンと、
予め決められたオプションサービス毎に設けられ、かつオプションサービスを選択するためのファンクションボタンと
を備え、いずれかの商品選択ボタンが押下された場合に、該当する商品を調理してカップに投入された状態で販売する自動販売機において、
いずれかのファンクションボタンが押下されてオプションサービスが選択された場合に、選択されたオプションサービスに関するオプションサービス選択情報と、前記ファンクションボタンの押下後にいずれかの商品選択ボタンが押下されることにより、選択されたオプションサービスが適用された商品に関する商品選択情報とを関連付けて購入履歴として記憶部に記憶させる制御手段を備えたことを特徴とする自動販売機。
【請求項２】
前記ファンクションボタンは、予め決められた調合成分毎に設けられ、かつ該当する調合成分の量を調整する調合ボタンを含むことを特徴とする請求項１に記載の自動販売機。
【請求項３】
前記制御手段は、電気的に接続された外部機器に対し、前記記憶部に記憶させた購入履歴を該外部機器からの指令に応じて出力することを特徴とする請求項１又は請求項２に記載の自動販売機。
【発明の詳細な説明】
【技術分野】
【０００１】
本発明は、自動販売機に関し、より詳細には、例えばコーヒー飲料等の商品をカップに投入された状態で販売する自動販売機に関するものである。
【背景技術】
【０００２】
この種の自動販売機として、特許文献１に示されたものが知られている。すなわち、いずかの商品選択ボタンが押下された場合に、該当する商品を自動販売機本体内部で調理し、調理した商品をカップに投入された状態で取出口を臨む位置に搬送し、取り出し可能にするものである。
【先行技術文献】
【特許文献】
【０００３】
【特許文献１】特開２００４−２４６６１６号公報
【発明の概要】
【発明が解決しようとする課題】
【０００４】
ところで、上述した自動販売機では、上記商品選択ボタンの他に、砂糖、クリーム及びコーヒー豆の増減を選択するボタンやブラック（砂糖及びクリームなし）を選択するボタン、更に氷なしを選択するボタン等のようなオプションサービスを選択するファンクションボタンが設けられているのが一般的である。
【０００５】
しかしながら、従来の自動販売機では、商品選択ボタンを押下して選択された商品の情報、すなわち商品選択情報を購入履歴として記憶するものが知られているが、かかる商品選択情報と関連付けて選択されたオプションサービスに関する情報を記憶するものがなかった。そのため、当該自動販売機の利用者が個々の商品に対してどのようなオプションサービスを付加しているかを認識することができなかった。
【０００６】
本発明は、上記実情に鑑みて、オプションサービス選択情報と商品選択情報とを関連付けて購入履歴として記憶することにより、利用者が個々の商品に対してどのようなオプションサービスを付加しているかを認識し、新たなサービスの提供を可能にする自動販売機を提供することを目的とする。
【課題を解決するための手段】
【０００７】
上記目的を達成するために、本発明の請求項１に係る自動販売機は、商品毎に設けられ、かつ商品を選択するための商品選択ボタンと、予め決められたオプションサービス毎に設けられ、かつオプションサービスを選択するためのファンクションボタンとを備え、いずれかの商品選択ボタンが押下された場合に、該当する商品を調理してカップに投入された状態で販売する自動販売機において、いずれかのファンクションボタンが押下されてオプションサービスが選択された場合に、選択されたオプションサービスに関するオプションサービス選択情報と、前記ファンクションボタンの押下後にいずれかの商品選択ボタンが押下されることにより、選択されたオプションサービスが適用された商品に関する商品選択情報とを関連付けて購入履歴として記憶部に記憶させる制御手段を備えたことを特徴とする。
【０００８】
また、本発明の請求項２に係る自動販売機は、上述した請求項１において、前記ファンクションボタンは、予め決められた調合成分毎に設けられ、かつ該当する調合成分の量を調整する調合ボタンを含むことを特徴とする。
【０００９】
また、本発明の請求項３に係る自動販売機は、上述した請求項１又は請求項２において、前記制御手段は、電気的に接続された外部機器に対し、前記記憶部に記憶させた購入履歴を該外部機器からの指令に応じて出力することを特徴とする。
【発明の効果】
【００１０】
本発明の自動販売機によれば、制御手段が、いずれかのファンクションボタンが押下されてオプションサービスが選択された場合に、選択されたオプションサービスに関するオプションサービス選択情報と、ファンクションボタンの押下後にいずれかの商品選択ボタンが押下されることにより、選択されたオプションサービスが適用された商品に関する商品選択情報とを関連付けて購入履歴として記憶部に記憶させるので、利用者が個々の商品に対してどのようなオプションサービスを付加しているかを認識し、新たなサービスの提供が可能になるという効果を奏する。
【図面の簡単な説明】
【００１１】
【図１】図１は、本発明の実施の形態である自動販売機を示す正面図である。
【図２】図２は、本発明の実施の形態である自動販売機の内部構造を示す説明図である。
【図３】図３は、本発明の実施の形態である自動販売機を示す原理図である。
【図４】図４は、図１に示した自動販売機の前面扉の要部、すなわちファンクションボタンを拡大して示す説明図である。
【図５】図５は、図１〜図４に示した自動販売機の特徴的な制御系を示すブロック図である。
【図６】図６は、図５に示した制御手段が実行する購入履歴記憶処理の処理内容を示すフローチャートである。
【発明を実施するための形態】
【００１２】
以下に添付図面を参照して、本発明に係る自動販売機の好適な実施の形態について詳細に説明する。
【００１３】
図１〜図３は、それぞれ本発明の実施の形態である自動販売機を示すものであり、図１は正面図、図２は内部構造を示す説明図、図３は原理図である。ここで例示する自動販売機は、レギュラーコーヒー飲料の他、ココア等のインスタント飲料を販売するカップ式の飲料自動販売機であって、より具体的には、クリーム、砂糖、ココア等の粉末原料をカップの内部で調理するカップ内ミキシング方式の飲料自動販売機であり、前面が開口した箱状の本体キャビネット１と、本体キャビネット１の前面開口を閉塞する前面扉２とを備えている。
【００１４】
図２及び図３に示すように、本体キャビネット１の内部には、リザーバ１１、温水タンク１２、製氷器１３、冷却水供給装置１４、抽出装置１５、粉末原料供給装置１６及びカップ搬送装置１７を備えて構成してある。
【００１５】
リザーバ１１は、供給された水道水、あるいは図示せぬ給水タンクから供給された水を一時的に貯留するものである。このリザーバ１１で一時的に貯留された水は、温水タンク１２と製氷器１３と冷却水供給装置１４とに供給されるようにしている。
【００１６】
温水タンク１２は、抽出装置１５の他、調理位置に搬送されたカップＣに供給する湯を貯留するもので、本体キャビネット１の内部上方右奥側、背壁に沿って設けてある。この温水タンク１２には、ヒータ（図示せず）が内蔵してあり、リザーバ１１から与えられた水を加熱して湯として貯留する。
【００１７】
このような温水タンク１２には、複数（図３の例では２つ）の湯弁１２１，１２３が配設してある。一の湯弁１２１は、湯供給配管１２２を介して抽出装置１５に接続してあり、該湯弁１２１を開成させることにより湯供給配管１２２を通じて抽出装置１５に湯が供給されるようになっている。他の湯弁１２３は、湯供給配管１２４を介して調理位置に設けられたノズル１２５に接続してあり、該湯弁１２３を開成させることにより湯供給配管１２４を通じてノズル１２５に湯が供給されるようになっている。これにより、調理位置に搬送されたカップＣに対してノズル１２５より湯が注出されることになる。
【００１８】
製氷器１３は、リザーバ１１から供給された水から調理用の氷を製造するもので、図２に示すように、本体キャビネット１の内部上方左奥側に取り付けてある。製氷器１３は、図には明示しないが、円筒状の金属の内面に着氷した氷をオーガで連続的に掻き取り、上部に押し上げながら圧縮成形と切断とを行う製氷部と、製氷部でチップ状に形成された氷を貯蔵する氷ストッカー部とを備えている。氷ストッカー部にはアイスドアが設けてあり、このアイスドアは、氷供給配管１３１を介して調理位置に設けられたノズル（図示せず）に接続してある。アイスドアを開放させることにより、氷供給配管１３１を通じてノズルに氷が供給されるようになっている。これにより、調理位置に搬送されたカップＣに対してノズルより氷が投入されることになる。
【００１９】
冷却水供給装置１４は、冷却水生成配管１４１と冷却水供給配管１４２とを備えて構成してある。冷却水生成配管１４１は、給水弁１４３を介して給水配管１１１に接続してあり、これによりリザーバ１１に連設してある。この冷却水生成配管１４１は、屈曲部１４１ａが形成してあり、該屈曲部１４１ａは冷却水槽１４４内に浸漬してある。冷却水供給配管１４２は、基端部が冷却水生成配管１４１に接続されるとともに、先端部が調理位置に設けられたノズル１４５に接続してあり、自身に設けられた冷却水供給弁１４６を開成させることにより調理位置に搬送されたカップＣに対してノズル１４５より冷却水が注出されることになる。
【００２０】
抽出装置１５は、レギュラーコーヒー飲料を抽出するものであって、図２に示すように、本体キャビネット１の内部上方右側に取り付けてある。抽出装置１５は、上方から下方に向けて順に、豆キャニスタ１５１、コーヒーミル１５２、コーヒーブリュア１５３を備えている。
【００２１】
豆キャニスタ１５１は、例えば透光性のある樹脂材料から構成されており、内部にコーヒー豆を収容している。尚、本実施の形態における抽出装置１５では２つの豆キャニスタ１５１を備えている。このような豆キャニスタ１５１は、内部に原料モータ（図示せず）が設けてあり、かかる原料モータが駆動することにより該豆キャニスタ１５１に収容されたコーヒー豆がコーヒーミル１５２に供給されるようになっている。一方、原料モータが駆動停止することにより該豆キャニスタ１５１に収容されたコーヒー豆の供給が停止される。
【００２２】
コーヒーミル１５２は、豆キャニスタ１５１から供給されたコーヒー豆を挽くものである。このコーヒーミル１５２は、詳細は図示しないが、内部にシュート（水平方向に延びる円筒状の空間）が形成されたミル本体と、シュートに挿通され、外周に螺旋状の刃が形成されたオーガと、オーガを回転させるモータとを有している。そして、モータがオーガを回転させることによりコーヒーミル１５２に供給された豆は入口から出口に向けて送られ、その途中で粉砕されるようになっている。
【００２３】
このようなコーヒーミル１５２においては、ミル本体が豆キャニスタ１５１と同様に、透光性のある樹脂材料から構成されている。
【００２４】
コーヒーブリュア１５３は、コーヒーミル１５２から供給された挽き豆に温水タンク１２から供給された湯を注ぐことにより、レギュラーコーヒー飲料を抽出するものである。コーヒーブリュア１５３は、コーヒー供給配管１５４を介して調理位置に設けられたノズル１５５に接続してあり、かかるコーヒー供給配管１５４を通じて該ノズル１５５にレギュラーコーヒー飲料が供給されるようになっている。これにより、調理位置に搬送されたカップＣに対してノズル１５５よりレギュラーコーヒー飲料が注出されることになる。
【００２５】
粉末原料供給装置１６は、クリーム、砂糖等の粉末原料を原料毎に収容し、必要に応じて払い出すもので、図２に示すように、本体キャビネット１の内部上方中央に設けてある。粉末原料供給装置１６は、複数の原料キャニスタ１６１と、原料キャニスタ１６１毎に設けられた原料シュータ１６２とを備えている。
【００２６】
原料キャニスタ１６１は、粉末原料を収容して払い出す容器であり、上面が前下がりとなるように傾斜しており、この上面に原料投入口（図示せず）が形成してある。また、原料投入口は、開閉可能な蓋によって閉成してあり、粉末原料に異物が混入しないようになっている。また、原料キャニスタ１６１の底部には、螺旋状に形成されたスクリュ（図示せず）が回転可能に設けられ、原料キャニスタ１６１の奥に取り付けた原料モータが駆動すると、スクリュが回転し、原料キャニスタ１６１の底部前面に形成された原料払出口（図示せず）から粉末原料が払い出されるようになっている。
【００２７】
原料シュータ１６２は、対応する原料キャニスタ１６１から払い出された粉末原料を受け取り、一時的に収容するもので、原料キャニスタ１６１の前方から下方に延びる筒状をなしている。
【００２８】
カップ搬送装置１７は、図示せぬカップ供給位置において供給されたカップＣを受取位置を経由して調理位置に搬送した後、後述する取出口２１を臨む販売位置に搬送するものであって、本体キャビネット１の内部中央、粉末原料供給装置１６の下方側に設けてある。カップ搬送装置１７は、カップ供給位置において供給されたカップＣを把持するカップ把持部１７１と、カップ把持部１７１が把持したカップＣを左右方向及び前後方向に搬送する搬送機構１７２とを備えている。
【００２９】
搬送機構１７２は、販売待機状態においてカップ把持部１７１を販売位置に待機させるものである。その後に商品が選択されると、カップ供給位置にカップ把持部１７１を搬送し、カップ供給装置から供給されたカップＣをカップ把持部１７１に把持させるものである。カップ供給位置にてカップ把持部１７１にカップＣを把持させた後、搬送機構１７２は、カップ把持部１７１を受取位置に搬送する。ここで受取位置は、原料キャニスタ１６１から原料シュータ１６２に払い出された粉末原料を受け取る位置であって、粉末原料が払い出された原料シュータ１６２の下方が受取位置になる。例えばクリーム・砂糖入りレギュラーコーヒー飲料を販売する場合には、原料キャニスタ１６１から払い出されたクリームが一時的に収容される原料シュータ１６２の下方、並びに原料キャニスタ１６１から払い出された砂糖が一時的に収容される原料シュータ１６２の下方が受取位置になる。
【００３０】
そして、カップＣを把持するカップ把持部１７１を受取位置に順次搬送させることにより、カップＣ内に所望の粉末原料が投入される。その後、搬送機構１７２は、当該カップＣを把持するカップ把持部１７１を調理位置に搬送する。調理位置は、湯、レギュラーコーヒー飲料が注出される他、冷却水や氷が供給される位置であって、カップＣ内の飲料を撹拌するパドル１８が昇降可能に設けてある。この調理位置にて湯、冷却水、あるいはレギュラーコーヒー飲料の注出が完了すると、搬送機構１７２は、カップＣを把持するカップ把持部１７１を販売位置に搬送し、これにより、所望の商品がカップＣに投入された状態で利用者に提供することが可能になる。
【００３１】
前面扉２は、本体キャビネット１の前面開口を開閉可能となる態様で該本体キャビネット１の一側縁部に揺動可能に配設してあり、閉扉動作した場合に、本体キャビネット１の前面開口を閉塞するものである。この前面扉２は、図１に示すように、中程中央に取出口２１が設けてあり、その右方側に投入金額を表示する一体表示器２２、硬貨を投入するための硬貨投入口２３、返却レバー２４が設けてある。また、取出口２１の左方側には紙幣挿入口２５が設けてあり、前面扉２の下部右側には硬貨返却口２６が設けてある。
【００３２】
上記前面扉２の上半分には、商品選択ボタン２７及びファンクションボタン３０が設けてある。商品選択ボタン２７は、前面扉２の上半分に複数配設してある。これら商品選択ボタン２７は、商品毎に設けてある。当該商品のイメージが描かれたフレーバーカード２８に対応して設けてある。
【００３３】
上記商品選択ボタン２７は、ファンクションボタン３０が押下されることなく自身が押下された場合には、予め決められた調合成分、すなわちコーヒー豆、クリーム及び砂糖が標準量で混合された商品の選択を示す、あるいは氷入り商品の選択を示す入力手段である。
【００３４】
図４は、図１に示した自動販売機の前面扉２の要部、すなわちファンクションボタン３０を拡大して示す説明図である。この図４に示すように、ファンクションボタン３０は、予め決められたオプションサービス毎に設けられ、かつオプションサービスを選択するためのものである。より具体的に説明すると、ファンクションボタン３０は、キャップ付ボタン３１、ストロー付ボタン３２、氷なしボタン３３及び調合ボタン群３４を有している。
【００３５】
キャップ付ボタン３１は、商品が投入されるカップＣにキャップが取り付けられるサービスを選択するものである。ストロー付ボタン３２は、商品が投入されるカップＣの内部にストローが投入されるサービスを選択するものである。氷なしボタン３３は、商品（主にコールド商品）が投入されるカップＣの内部に氷が投入されることを禁止するサービスを選択するものである。調合ボタン群３４は、予め決められた調合成分である砂糖、クリーム及びコーヒー豆毎に設けられ、各調合成分の量を調整するための調合ボタン３４１〜３４３の集合体となるものである。
【００３６】
調合ボタン３４１〜３４３について説明する。砂糖については、５段階の砂糖の増減を示す調合ボタン３４１が設けてあり、中央部の調合ボタン３４１ａが普通程度の砂糖の量を選択するもので、最も右側の調合ボタン３４１ｂが砂糖の量を最も増大させることを選択するもので、最も左側の調合ボタン３４１ｃが砂糖の量を最も減少させることを選択するものである。クリームについては、５段階のクリームの増減を示す調合ボタン３４２が設けてあり、中央部の調合ボタン３４２ａが普通程度のクリームの量を選択するもので、最も右側の調合ボタン３４２ｂがクリームの量を最も増大させることを選択するもので、最も左側の調合ボタン３４２ｃがクリームの量を最も減少させることを選択するものである。コーヒー豆については、５段階のコーヒー豆の増減を示す調合ボタン３４３が設けてあり、中央部の調合ボタン３４３ａが普通程度のコーヒー豆の量を選択するもので、最も右側の調合ボタン３４３ｂがコーヒー豆の量を最も増大させることを選択するもので、最も左側の調合ボタン３４３ｃがコーヒー豆の量を最も減少させることを選択するものである。
【００３７】
そして、このような調合ボタン群３４には、ブラックを選択する調合ボタン３４４を有している。この調合ボタン３４４は、コーヒー豆以外の調合成分（砂糖及びクリーム）の投入を禁止するものである。
【００３８】
図５は、図１〜図４に示した自動販売機の特徴的な制御系を示すブロック図である。この図５に示すように、上記自動販売機は、既述の構成の他、金銭処理装置４１、売切センサ４２及び制御手段５０を備えて構成してある。
【００３９】
金銭処理装置４１は、コインメカニズムやビルバリデータと称されるものであり、利用者によって金銭（貨幣）が投入された場合にこれを鑑別し、その鑑別結果を制御手段５０に出力するものである。
【００４０】
売切センサ４２は、本体キャビネット１の所望の位置、例えば原料シュータ１６２の近傍等の位置に配設され、原料の有無を検知し、その検知結果を制御手段５０に出力するものである。尚、図５中の符号４３は、販売動作ユニットであり、既述の各弁や搬送機構１７２等の販売動作の際に駆動する機構の総称である。また、符号４４は、リモコンであり、制御手段５０と電気的に接続される場合に、制御手段５０に対して種々の指令や情報を与える一方、該制御手段５０から所望のデータを受信する外部機器である。
【００４１】
制御手段５０は、売切センサ４２、金銭処理装置４１、ボタン類（商品選択ボタン２７及びファンクションボタン３０）、リモコン４４から出力信号が与えられた場合、予めメモリ５１に格納したプログラムやデータにしたがって販売動作ユニット４３、一体表示器２２、リモコン４４等の動作を制御するもので、入力制御部５０ａ、出力制御部５０ｂ及び販売動作制御部５０ｃを有している。
【００４２】
入力制御部５０ａは、リモコン４４の操作部が操作された場合にそれぞれの入力操作に対応する指令を各部に与えるものである。出力制御部５０ｂは、出力指令が与えられた場合に一体表示器２２若しくはリモコン４４の表示部を通じて所望の表示を行うものである。
【００４３】
販売動作制御部５０ｃは、商品の販売に関わる処理を統括的に制御するものである。具体的には、金銭処理装置４１に金銭が投入された場合、投入金額が販売価格以上となった時点で該当する商品選択ボタン２７、並びにファンクションボタン３０を有効化する。有効化した商品選択ボタン２７やファンクションボタン３０が押下された場合、販売動作制御部５０ｃは、販売動作ユニット４３の各部を所望のタイミングで動作させて、商品を調理し、カップＣに投入した状態で提供する動作を行う。
【００４４】
また、販売動作制御部５０ｃは、売切センサ４２を通じて原料の有無を監視し、原料が
無いことを検知した場合、該当する商品に対応する売切ランプ（図示せず）を点灯して売切状態であることを報知する処理を行う。
【００４５】
更に、販売動作制御部５０ｃは、いずれかのファンクションボタン３０が押下されてオプションサービスが選択された場合に、選択されたオプションサービスに関するオプションサービス選択情報と、ファンクションボタン３０の押下後にいずれかの商品選択ボタン２７が押下されることにより、選択されたオプションサービスが適用された商品に関する商品選択情報とを関連付けて購入履歴としてメモリ５１に記憶させるものであり、ファンクションボタン３０が押下されずに商品選択ボタン２７のみが押下された場合には、商品選択情報のみを購入履歴としてメモリ５１に記憶させるものである。
【００４６】
以上のような構成を有する自動販売機は、次のようにして商品が販売される。硬貨投入口２３、あるいは紙幣挿入口２５から販売される商品の対価以上の硬貨又は紙幣が投入されると、該当する商品の商品選択ボタン２７、並びにファンクションボタン３０を有効化させる。
【００４７】
このような状態でファンクションボタン３０が押下されることなく、レギュラーコーヒー飲料の加温商品用の商品選択ボタン２７が押下されたとする。上述したように、商品選択ボタン２７は、ファンクションボタン３０が押下されることなく自身が押下された場合には、コーヒー豆、クリーム及び砂糖が標準量で混合された商品の選択を示す入力手段であるから、カップ供給装置から供給されたカップＣには、所定の受取位置（クリームが一時的に収容される原料シュータ１６２の下方、並びに砂糖が一時的に収容される原料シュータ１６２の下方）にてクリーム及び砂糖が投入される。また、これと同時に抽出装置１５においてレギュラーコーヒー飲料の抽出が行われる。
【００４８】
そして、受取位置にて粉末原料が投入されたカップＣは、調理位置に搬送されて、抽出装置１５から抽出されたレギュラーコーヒー飲料が注出されるとともに、パドル１８により撹拌される。レギュラーコーヒー飲料の注出が完了すると、カップＣは、販売位置に搬送され、取出口２１を通じて利用者に提供され、これにより商品（レギュラーコーヒー飲料）が販売されることになる。
【００４９】
次に、利用者によりブラックの調合ボタン３４１〜３４４（ファンクションボタン３０）が押下されてからレギュラーコーヒー飲料の加温商品用の商品選択ボタン２７が押下されたとする。この場合には、ブラックのレギュラーコーヒー飲料が選択されたと判断して、次のようにして販売される。すなわち、抽出装置１５においてレギュラーコーヒー飲料の抽出が行われるのと同時に、カップ供給装置から供給されたカップＣは調理位置に搬送され、該カップＣに抽出装置１５から抽出されたレギュラーコーヒー飲料が注出される。注出が完了すると、カップＣは、販売位置に搬送され、取出口２１を通じて利用者に提供され、これにより商品（ブラックのレギュラーコーヒー飲料）が販売されることになる。
【００５０】
図６は、図５に示した制御手段５０が実行する購入履歴記憶処理の処理内容を示すフローチャートである。かかる購入履歴記憶処理の処理内容を説明することにより、本実施の形態である自動販売機の動作を説明する。
【００５１】
制御手段５０の販売動作制御部５０ｃは、いずれかのファンクションボタン３０の押下された後に、いずれかの商品選択ボタン２７が押下されると（ステップＳ１０１：Ｙｅｓ，ステップＳ１０２：Ｙｅｓ）、押下されたファンクションに割り付けられたオプションサービス、すなわち選択されたオプションサービスに関するオプションサービス選択情報と、選択された商品、すなわち選択されたオプションサービスが適用された商品に関する商品選択情報とを関連付けて購入履歴としてメモリ５１に記憶させ（ステップＳ１０３）、その後に手順をリターンさせて今回の処理を終了する。
【００５２】
より具体的に説明すると、上述したようにブラックの調合ボタン３４４（ファンクションボタン３０）が押下された後に、レギュラーコーヒー飲料の加温商品用の商品選択ボタン２７が押下されると、ブラックを選択した情報（オプションサービス選択情報）と、当該レギュラーコーヒー飲料の商品を選択した情報（商品選択情報）とを関連付けて購入履歴としてメモリ５１に記憶させる。
【００５３】
この結果、メモリ５１には、ファンクションボタン３０を押下することにより選択されたオプションサービスに関するオプションサービス選択情報が、商品選択情報に関連付けられた状態でデータが蓄積されていくことになる。かかるデータの蓄積については、種々の手法を採用することができるが、一例として、次のようにして蓄積することができる。すなわち、商品選択情報と、オプションサービス選択情報とを組み合わせた種々のパターンを予め用意しておき、メモリ５１に記憶させる際に、該当するパターンのカウンタを「＋１」して加算するようにしても良い。
【００５４】
一方、制御手段５０の販売動作制御部５０ｃは、いずれかのファンクションボタン３０の押下されずにいずれかの商品選択ボタン２７が押下されると（ステップＳ１０１：Ｎｏ，ステップＳ１０４：Ｙｅｓ）、選択された商品に関する商品選択情報を購入履歴としてメモリ５１に記憶させ（ステップＳ１０５）、その後に手順をリターンさせて今回の処理を終了する。
【００５５】
より具体的に説明すると、上述したように調合ボタン３４１〜３４４（ファンクションボタン３０）が押下されずにレギュラーコーヒー飲料の加温商品用の商品選択ボタン２７が押下されると、ブラックを選択した情報（商品選択情報）のみを購入履歴としてメモリ５１に記憶させる。
【００５６】
このようにしてメモリ５１に蓄積されたデータは、制御手段５０により種々の形態で出力される。すなわち、リモコン４４が電気的に接続され、該リモコン４４より購入履歴の出力指令が与えられると、制御手段５０は、出力制御部５０ｂを通じてメモリ５１に記憶させた購入履歴に関するデータを読み出してリモコン４４に出力し、リモコン４４の表示部に当該データを表示させることができる。尚、ここではリモコン４４を外部機器の一例として説明したが、制御手段５０に電気的に接続される外部機器はリモコン４４に限られず、種々の機器を用いることができる。
【００５７】
以上説明したように、本発明の実施の形態である自動販売機によれば、制御手段５０が、いずれかのファンクションボタン３０が押下されてオプションサービスが選択された場合に、選択されたオプションサービスに関するオプションサービス選択情報と、ファンクションボタン３０の押下後にいずれかの商品選択ボタン２７が押下されることにより、選択されたオプションサービスが適用された商品に関する商品選択情報とを関連付けて購入履歴としてメモリ５１に記憶させるので、利用者が個々の商品に対してどのようなオプションサービスを付加しているかを認識し、新たなサービスの提供を可能にする。
【００５８】
特に、ファンクションボタン３０を構成する調合ボタン群３４のいずれかの調合ボタン３４１〜３４４を押下することにより選択されたオプションサービス選択情報を含む購入履歴は、利用者の当該商品に対する好みを知ることができ、当該商品の飲料レシピをよりニーズにあったものに変更することができ、これにより購買意欲の喚起、並びに販売機会の増大化を図ることができる。
【００５９】
また、上記自動販売機によれば、電気的に接続されリモコン４４より購入履歴の出力指令が与えられると、制御手段５０が、出力制御部５０ｂを通じてメモリ５１に記憶させた購入履歴に関するデータを読み出してリモコン４４に出力し、リモコン４４の表示部に当該データを表示させるので、利用者は、リモコン４４の表示部を通じて利用者が個々の商品に対してどのようなオプションサービスを付加しているかを認識することができる。
【産業上の利用可能性】
【００６０】
以上のように、本発明に係る自動販売機は、例えばコーヒー飲料等の商品をカップに投入された状態で販売するのに有用である。
【符号の説明】
【００６１】
１  本体キャビネット
２  前面扉
１１  リザーバ
１２  温水タンク
１３  製氷器
１４  冷却水供給装置
１５  抽出装置
１６  粉末原料供給装置
１７  カップ搬送装置
１８  パドル
２７  商品選択ボタン
３４  ファンクションボタン
４１  金銭処理装置
４２  売切センサ
４３  販売動作ユニット
４４  リモコン
５０  制御手段
５０ａ  入力制御部
５０ｂ  出力制御部
５０ｃ  販売動作制御部
５１  メモリ
Ｃ  カップ
【図１】
2011253457.tif 000003
【図２】
2011253457.tif 000004
【図３】
2011253457.tif 000005
【図４】
2011253457.tif 000006
【図５】
2011253457.tif 000007
【図６】
2011253457.tif 000008